(57)【要約】  送風機１２で室外機１００の筐体１３に吸い込まれた空気が該筐体１３の上部から排出される空気調和装置３００において、液ヘッダ部分７ａ，７ｂのそれぞれは、室外熱交換器８を上下方向に分割した複数の分割領域の各伝熱管１５と接続された構成となっている。また、分流器６は、気液分離器５で乾き度が調整された二相冷媒を液ヘッダ部分７ａ，７ｂのそれぞれに供給するものであり、液ヘッダ部分７ａ，７ｂのそれぞれに対して、各液ヘッダ部分７ａ，７ｂと接続された分割領域の風量に応じた量の当該二相冷媒を供給する。
2015178097.tif 000002
【特許請求の範囲】
【請求項１】
圧縮機、凝縮器、膨張弁、蒸発器として機能する室外熱交換器、及び、前記室外熱交換器が蒸発器として機能するときに該室外熱交換器の冷媒流入側となる位置に接続された液ヘッダを有する冷凍サイクル回路と、
前記室外熱交換器に空気を供給する室外送風機と、
を備え、
前記室外熱交換器は、伝熱管が上下方向に並設されるように室外機の筐体に配置され、
前記室外送風機で前記室外機の前記筐体に吸い込まれた空気が、前記室外熱交換器と熱交換した後に前記筐体の上部から排出される空気調和装置において、
前記液ヘッダは、上下方向に複数の液ヘッダ部分に分割され、
前記液ヘッダ部分のそれぞれは、前記室外熱交換器を上下方向に分割した複数の分割領域の各前記伝熱管と接続された構成となっており、
前記膨張弁から流出した二相冷媒をガス冷媒と液冷媒とに分離する第１の気液分離器と、
前記第１の気液分離器と前記圧縮機の吸入側とを接続し、前記第１の気液分離器で分離されたガス冷媒を前記圧縮機の吸入側に戻す量を調整するバイパス回路と、
前記第１の気液分離器と前記液ヘッダ部分のそれぞれとを接続し、前記第１の気液分離器で乾き度が調整された二相冷媒を前記液ヘッダ部分のそれぞれに供給するものであり、前記液ヘッダ部分のそれぞれに対して、各前記液ヘッダ部分と接続された前記分割領域の風量に応じた量の当該二相冷媒を供給する分流器と、
を備えたことを特徴とする空気調和装置。
【請求項２】
複数の前記液ヘッダ部分のうちの少なくとも一部において、
前記液ヘッダ部分の１つを第１液ヘッダ部分、該第１液ヘッダ部分よりも下方に配置された前記液ヘッダ部分を第２液ヘッダ部分、前記第１液ヘッダ部分の冷媒質量流束と前記第２液ヘッダ部分の冷媒質量流束とが同じになる前記第１液ヘッダ部分の内径をＤ１と定義したとき、
前記第１液ヘッダ部分の内径Ｄは、Ｄ＜Ｄ１となっていることを特徴とする請求項１に記載の空気調和装置。
【請求項３】
風速分布の偏りが大きい前記分割領域の前記伝熱管に接続された前記液ヘッダ部分の内径は、当該分割領域よりも風速分布の偏りが小さい前記分割領域の前記伝熱管に接続された前記液ヘッダ部分の内径よりも小さくなっていることを特徴とする請求項１に記載の空気調和装置。
【請求項４】
前記分流器は、前記液ヘッダ部分と接続される流路の内径が前記液ヘッダ部分毎に異なって形成されていることにより、前記液ヘッダ部分のそれぞれへ供給する二相冷媒の量を異ならせていることを特徴とする請求項１〜請求項３のいずれか一項に記載の空気調和装置。
【請求項５】
前記分流器は、前記液ヘッダ部分と接続される流路の長さが前記液ヘッダ部分毎に異なって形成されていることにより、前記液ヘッダ部分のそれぞれへ供給する二相冷媒の量を異ならせていることを特徴とする請求項１〜請求項３のいずれか一項に記載の空気調和装置。
【請求項６】
前記バイパス回路を構成する、前記第１の気液分離器と前記圧縮機の吸入側とを接続し、前記第１の気液分離器で分離されたガス冷媒を前記圧縮機の吸入側に戻す第１のバイパス配管、及び、該第１のバイパス配管を流れるガス冷媒の流量を調整する流量制御機構と、
前記室外送風機の風量及び前記流量制御機構の開度を制御する制御装置と、
を備え、
前記制御装置は、前記室外送風機の風量を増加させるときに前記流量制御機構の開度を減少させ、前記室外送風機の風量を低減させるときに前記流量制御機構の開度を増加させることを特徴とする請求項１〜請求項５のいずれか一項に記載の空気調和装置。
【請求項７】
前記圧縮機、四方弁、上下方向に複数の前記液ヘッダ部分に分割された前記液ヘッダ、前記分流器、前記室外熱交換器及び前記室外送風機を少なくとも有する前記室外機と、
第１の接続配管及び第２の接続配管により前記室外機に接続される中継器と、
少なくとも室内熱交換器を有し、前記中継器に互いに並列に接続される複数の室内機と、
を備え、
前記室外機は、冷房、暖房、冷房主体及び暖房主体の各運転モードに応じて、前記圧縮機から吐出される冷媒を、前記四方弁、前記液ヘッダ及び前記室外熱交換器を経由して前記第２の接続配管に導く第１の径路と、前記四方弁を経由するが前記液ヘッダ及び前記室外熱交換器は経由せずに前記第２の接続配管に導く第２の径路と、を有し、
前記中継器は、前記第２の接続配管の途中に接続される第２の気液分離器と、前記室内機のそれぞれを前記第１の接続配管及び第２の接続配管のいずれか一方に選択的に接続する切替部と、前記第２の気液分離器と前記室内機のそれぞれとを接続する第２のバイパス配管と、前記第１の接続配管と前記第２のバイパス配管とを接続する第３のバイパス配管と、前記第３のバイパス配管に介在し、前記膨張弁として機能するバイパス配管流量制御装置と、を有し、
前記第１の接続配管に接続され、暖房運転モード及び暖房主体運転モードにおいて前記第１の気液分離器として機能する第３の気液分離器と、
前記第３の気液分離器と前記圧縮機の吸入側とを接続し、暖房運転モード及び暖房主体運転モードにおいて前記バイパス回路として機能するガス側出口配管及び流量制御機構と、
暖房運転モード及び暖房主体運転モードにおいて、前記第３の気液分離器で乾き度が調整された二相冷媒を前記分流器に供給する第３の経路と、
を有することを特徴とする請求項１〜請求項６のいずれか一項に記載の空気調和装置。
【請求項８】
前記第３の気液分離器は、前記中継器に設けられていることを特徴とする請求項７に記載の空気調和装置。
【請求項９】
前記室内機は、該室内機が暖房するときに前記凝縮器として機能する室内熱交換器と、前記膨張弁として機能する第１の流量制御装置と、を備えたことを特徴とする請求項７又は請求項８に記載の空気調和装置。
【請求項１０】
前記中継器は、前記室内機が暖房するときに前記凝縮器として機能する複数の中間熱交換器と、前記中間熱交換器のそれぞれに接続されて前記膨張弁として機能する複数の第１の流量制御装置と、を備え
前記室内機は、前記中間熱交換器に接続される室内熱交換器を備え、
冷媒が前記室外機と前記中継器の前記中間熱交換器とを流れるように、閉じられた第１の冷媒回路を構成し、
前記冷媒とは別の冷媒が前記室内機と前記中継器の前記中間熱交換器を流れるように、閉じられた第２の冷媒回路を構成したことを特徴とする請求項７又は請求項８に記載の空気調和装置。
【請求項１１】
前記室外機を流れる冷媒が、非共沸混合冷媒であることを特徴とする請求項１〜請求項１０のいずれか一項に記載の空気調和装置。
【請求項１２】
複数の前記液ヘッダ部分のそれぞれと、前記室外熱交換器の前記伝熱管とを接続する複数の枝管を備え、
風速分布の偏りが大きい前記分割領域に接続された前記液ヘッダ部分は、当該分割領域よりも風速分布の偏りが小さい前記分割領域に接続された前記液ヘッダ部分と比べ、同じ大きさの領域に接続された前記枝管の本数が多いことを特徴とする請求項１〜請求項１１のいずれか一項に記載の空気調和装置。
【請求項１３】
前記室外熱交換器が蒸発器として機能するときに該室外熱交換器の冷媒流出側となる位置に接続されたガスヘッダを備え、
該ガスヘッダは、上下方向に複数のガスヘッダ部分に分割されており、
風速分布の偏りが大きい前記分割領域の前記伝熱管に接続された前記ガスヘッダ部分の内径は、当該分割領域よりも風速分布の偏りが小さい前記分割領域の前記伝熱管に接続された前記ガスヘッダ部分の内径よりも大きくなっていることを特徴とする請求項１〜請求項１２のいずれか一項に記載の空気調和装置。
【請求項１４】
前記室外熱交換器が蒸発器として機能するときに該室外熱交換器の冷媒流出側となる位置に接続されたガスヘッダと、
前記室外熱交換器が蒸発器として機能するときに、前記ガスヘッダと前記圧縮機の吸入側とを接続する複数の冷媒出口配管と、
を備え、
該ガスヘッダは、上下方向に複数のガスヘッダ部分に分割されており、
風速分布の偏りが大きい前記分割領域の前記伝熱管に接続された前記ガスヘッダ部分は、当該分割領域よりも風速分布の偏りが小さい前記分割領域の前記伝熱管に接続された前記ガスヘッダ部分と比べ、多くの本数の前記冷媒出口配管が接続されていることを特徴とする請求項１〜請求項１３のいずれか一項に記載の空気調和装置。
【発明の詳細な説明】
【技術分野】
【０００１】
本発明は、空気調和装置に関するものである。
【背景技術】
【０００２】
熱交換器を通過する空気の風速（風量）分布は一般的には均一ではなく分布を持つ。例えば、室外送風機で室外機の筐体に吸い込まれた空気が、室外熱交換器と熱交換した後に筐体の上部から排出される空気調和装置の場合、室外熱交換器の風速分布は、上方の風速が大きくなり、下方の風速が小さくなる。そして、熱交換器に供給する冷媒の分布と風速（風量）分布が一致しない場合、熱交換器の性能を引き出せない場合がある。例えば、熱交換器が蒸発器の場合、風量が少ない部分を通過する伝熱管では冷媒が完全に蒸発できなく、熱交換器の性能を引き出せない。このような課題を解決するために、室外送風機で室外機の筐体に吸い込まれた空気が室外熱交換器と熱交換した後に筐体の上部から排出される従来の空気調和装置には、室外熱交換器を上下方向に複数の分割領域に分割し、ディストリビュータを用いて各分割領域毎に風量に応じた量の二相冷媒を供給するものが提案されている（例えば特許文献１参照）。
【先行技術文献】
【特許文献】
【０００３】
【特許文献１】特開２０１０−１２７６０１号公報
【発明の概要】
【発明が解決しようとする課題】
【０００４】
特許文献１に記載の空気調和装置は、室外熱交換器の各分割領域に対して、膨張弁から流出した二相冷媒をディストリビュータで分配している。このため、分割領域内においては、冷媒は各伝熱管に均等分配されるため、分割領域内の風速分布に対応した冷媒分配ができず、室外熱交換器の性能を十分に向上できないという課題があった。【０００５】
本発明は、以上のような課題を解決するためになされたものであり、室外熱交換器の分割領域内において風速分布に合わせて二相冷媒を分配することができ、室外熱交換器の性能を向上させることができる空気調和装置を得ることを目的とする。
【課題を解決するための手段】
【０００６】
本発明に係る空気調和装置は、圧縮機、凝縮器、膨張弁、蒸発器として機能する室外熱交換器、及び、前記室外熱交換器が蒸発器として機能するときに該室外熱交換器の冷媒流入側となる位置に接続された液ヘッダを有する冷凍サイクル回路と、前記室外熱交換器に空気を供給する室外送風機と、を備え、前記室外熱交換器は、伝熱管が上下方向に並設されるように室外機の筐体に配置され、前記室外送風機で前記室外機の前記筐体に吸い込まれた空気が、前記室外熱交換器と熱交換した後に前記筐体の上部から排出される空気調和装置において、前記液ヘッダは、上下方向に複数の液ヘッダ部分に分割され、前記液ヘッダ部分のそれぞれは、前記室外熱交換器を上下方向に分割した複数の分割領域の各前記伝熱管と接続された構成となっており、前記膨張弁から流出した二相冷媒をガス冷媒と液冷媒とに分離する第１の気液分離器と、前記第１の気液分離器と前記圧縮機の吸入側とを接続し、前記第１の気液分離器で分離されたガス冷媒を前記圧縮機の吸入側に戻す量を調整するバイパス回路と、前記第１の気液分離器と前記液ヘッダ部分のそれぞれとを接続し、前記第１の気液分離器で乾き度が調整された二相冷媒を前記液ヘッダ部分のそれぞれに供給するものであり、前記液ヘッダ部分のそれぞれに対して、各前記液ヘッダ部分と接続された前記分割領域の風量に応じた量の当該二相冷媒を供給する分流器と、を備えたものである。
【発明の効果】
【０００７】
本発明に係る空気調和装置においては、第１の気液分離器で乾き度が調整された二相冷媒を分流器に供給する。このため、本発明に係る空気調和装置は、各液ヘッダ部分を流れるガス冷媒速度を調整することができる。また、本発明に係る空気調和装置においては、分流器は、各液ヘッダ部分に対して、各液ヘッダ部分が接続された室外熱交換器の分割領域に応じた量の二相冷媒を供給する。このため、本発明に係る空気調和装置は、ガス冷媒により液ヘッダ部分内において上方向に持ち上げられる液冷媒の量を風速分布に合わせて調節でき、分割領域内に風速分布に沿った冷媒を供給できるので、室外熱交換器の性能を十分に向上できる。
【図面の簡単な説明】
【０００８】
【図１】本発明の実施の形態１に係る空気調和装置の冷媒回路図である。
【図２】本発明の実施の形態１に係る空気調和装置の室外機を示す縦断面図である。
【図３】本発明の実施の形態１に係る空気調和装置の室外熱交換器を示す図である。
【図４】本発明の実施の形態１に係る空気調和装置における分流器の一例を示す断面図である。
【図５】本発明の実施の形態１に係る空気調和装置の室外熱交換器における冷媒の分配分布を示す図である。
【図６】本発明の実施の形態２に係る空気調和装置の室外熱交換器における冷媒の分配分布を示す図である。
【図７】本発明の実施の形態３に係る空気調和装置の室外熱交換器における冷媒の分配分布を示す図である。
【図８】本発明の実施の形態４に係る空気調和装置の室外熱交換器における冷媒の分配分布を示す図である。
【図９】本発明の実施の形態５に係る空気調和装置の室外熱交換器における冷媒の分配分布を示す図である。
【図１０】本発明の実施の形態６に係る多室型空気調和装置の冷媒回路構成の一例を示す冷媒回路図である。
【図１１】本発明の実施の形態６に係る多室型空気調和装置における暖房運転時の冷媒の流れを表す冷媒回路図である。
【図１２】本発明の実施の形態６に係る多室型空気調和装置における冷房運転時の冷媒の流れを表す冷媒回路図である。
【図１３】本発明の実施の形態６に係る多室型空気調和装置における暖房主体運転時の冷媒の流れを表す冷媒回路図である。
【図１４】本発明の実施の形態６に係る多室型空気調和装置における冷房主体運転時の冷媒の流れを表す冷媒回路図である。
【図１５】本発明の実施の形態７に係る多室型空気調和装置の冷媒回路構成の一例を示す冷媒回路図である。
【図１６】本発明の実施の形態８に係る多室型空気調和装置の冷媒回路構成の一例を示す冷媒回路図である。
【図１７】本発明の実施の形態１０に係る空気調和装置の室外熱交換器を示す図である。
【図１８】本発明の実施の形態１１に係る空気調和装置の室外熱交換器を示す図である。
【図１９】本発明の実施の形態１２に係る空気調和装置の室外熱交換器を示す図である。
【発明を実施するための形態】
【０００９】
以下、本発明に係る空気調和装置の実施の形態例を、図面に基づいて説明する。なお、以下に説明する各実施の形態によって本発明が限定されるものではない。
【００１０】
実施の形態１．
図１は、本発明の実施の形態１に係る空気調和装置の冷媒回路図である。
本実施の形態１に係る空気調和装置３００は、圧縮機１、四方弁２、室内熱交換器３、膨張弁４及び室外熱交換器８を備えている。つまり、空気調和装置３００の冷凍サイクル回路は、暖房運転時、圧縮機１、四方弁２、室内熱交換器３、膨張弁４及び室外熱交換器８の順で接続されることとなる。また、空気調和装置３００の冷凍サイクル回路は、冷房運転時、圧縮機１、四方弁２、室外熱交換器８、膨張弁４及び室内熱交換器３の順で接続されることとなる。すなわち、室内熱交換器３は、暖房運転時に凝縮器として機能し、冷房運転時に蒸発器として機能する。室外熱交換器８は、暖房運転時に蒸発器として機能し、冷房運転時に凝縮器として機能する。
なお、空気調和装置３００が暖房運転又は冷房運転のいずれかのみを行うものの場合、四方弁２は特に必要ない。
【００１１】
また、室外熱交換器８は、後述のように複数のフィン１６と複数の伝熱管１５とで構成されている。そして、各伝熱管１５の一方の端部（暖房運転時に冷媒流入側となる端部）は液ヘッダ７に接続されており、各伝熱管１５の他方の端部（暖房運転時に冷媒流出側となる端部）はガスヘッダ９に接続されている。
なお、本実施の形態１では、液ヘッダ７は、上下方向に２つの液ヘッダ部分７ａ，７ｂに分割されている。
【００１２】
また、本実施の形態１に係る空気調和装置３００は、暖房運転時に膨張弁４から流出した二相冷媒をガス冷媒と液冷媒とに分離する第１の気液分離器５と、第１の気液分離器５と圧縮機１の吸入側とを接続し、第１の気液分離器５で分離されたガス冷媒を圧縮機１の吸入側に戻す量を調整するバイパス回路１０と、を備えている。このバイパス回路１０は、第１の気液分離器５と圧縮機１の吸入側とを接続し、第１の気液分離器５で分離されたガス冷媒を圧縮機１の吸入側に戻す第１のバイパス配管１０ａ、及び、該第１のバイパス配管１０ａを流れるガス冷媒の流量を調整する流量制御機構１１（例えば流量制御弁）で構成されている。
【００１３】
さらに、本実施の形態１に係る空気調和装置３００は、第１の気液分離器５と液ヘッダ部分７ａ，７ｂのそれぞれの例えば下部とを接続し、第１の気液分離器５で乾き度が調整された二相冷媒を液ヘッダ部分７ａ，７ｂのそれぞれに供給する分流器６を備えている。
【００１４】
空気調和装置３００を構成する上記の各構成要素は、室外機１００及び室内ユニット２００に収納されている。
詳しくは、室外機１００には、圧縮機１、四方弁２、膨張弁４、第１の気液分離器５、分流器６、液ヘッダ７、室外熱交換器８、ガスヘッダ９、及び、バイパス回路１０（第１のバイパス配管１０ａ、流量制御機構１１）が収納されている。また、室内ユニット２００には、室内熱交換器３が収納されている。なお、室外機１００には室外熱交換器８に熱交換対象となる空気（室外空気）を供給する送風機１２も設けられている。室外機１００での送風機１２の収納構成については後述する。
【００１５】
また、本実施の形態１に係る空気調和装置３００は、例えばマイコン等で構成された制御装置２０を備えている。この制御装置２０は、圧縮機１の回転数、四方弁２の流路、膨張弁４の開度、流量制御機構１１の開度、及び、送風機１２の回転数（風量）等を制御するものである。
【００１６】
続いて、室外機１００の詳細について説明する。
図２は、本発明の実施の形態１に係る空気調和装置の室外機を示す縦断面図である。また、図３は、本発明の実施の形態１に係る空気調和装置の室外熱交換器を示す図である。なお、図２には、室外熱交換器８を通る風速分布も併せて示している。また、図３は、（ａ）が平面図であり、（ｂ）が側面図である。
【００１７】
本実施の形態１に係る室外機１００は、例えば略直方体の筐体１３を備えている。この筐体１３の少なくとも一側面には吸込口が形成されており、室外熱交換器８はこの吸込口に対向するように設けられている。なお、本実施の形態１では、筐体１３の三側面に吸込口が形成されている。このため、図３に示すように、本実施の形態１に係る室外熱交換器８は、平面視コの字形状に形成されている。なお、吸込口は三側面に限らず筐体１３の四側面に形成し、室外熱交換器８は、例えば平面視ロの字形状に形成されてもよい。
【００１８】
より詳しくは、室外熱交換器８は、複数のフィン１６と複数の伝熱管１５とで構成されている。複数のフィン１６は上下方向に延設された例えば略長方形状であり、各フィン１６は所定の間隔を介して横方向に並設されている。複数の伝熱管１５は平面視コの字形状に形成されており、各伝熱管１５は、複数のフィン１６を貫通するように上下方向に所定の間隔を介して並設されている。なお、本実施の形態１に係る伝熱管１５は、コの字形状に形成された後に、コの字形状の片側の端部で再びコの字形状に折り返された形状となっている。このため、伝熱管１５の液ヘッダ７（液ヘッダ部分７ａ，７ｂ）側の端部及びガスヘッダ９側の端部の双方は、コの字形状の片側の端部に配置されている。なお、配置方法は片側端部に限らなくてもよい。例えば、伝熱管１５を折り返さずに、伝熱管１５に並行に冷媒を流すことで液ヘッダ７（液ヘッダ部分７ａ、７ｂ）側とガスヘッダ９側の端部が、コの字形状の両側の端部に配置されてもよい。
【００１９】
また、本実施の形態１に係る室外機１００は、筐体１３の上部に吹出口が形成されており、この吹出口の下方には本発明の室外送風機に相当する送風機１２が設けられている。つまり、本実施の形態１に係る室外機１００は、送風機１２で筐体１３に吸い込まれた空気が室外熱交換器８と熱交換した後に筐体１３の上部から排出される構成となっている。このため、図２に示すように、送風機１２に近い部分の風速が早くなるため、送風機１２に近づくにつれて室外熱交換器８を通過する風速（風量）が大きくなる。
【００２０】
したがって、本実施の形態１では、上述のように、液ヘッダ７を上下方向に２つの液ヘッダ部分７ａ，７ｂに分割し、液ヘッダ部分７ａ，７ｂを上下方向に延設された管構造としている。つまり、室外熱交換器８の上方に配置された伝熱管１５は液ヘッダ部分７ａに接続され、室外熱交換器８の下方に配置された伝熱管１５は液ヘッダ部分７ｂに接続された構成としている。換言すると、室外熱交換器８を上下方向に複数の分割領域に分割し、各分割領域に異なる液ヘッダ部分を接続した構成となっている。そして、本実施の形態１では、分流器６は、液ヘッダ部分７ａ，７ｂのそれぞれに対して、液ヘッダ部分７ａ，７ｂと接続された分割領域の風量に応じた量の二相冷媒を供給する。具体的には、液ヘッダ部分７ａに接続された伝熱管１５の平均冷媒流量（液ヘッダ部分７ａに供給される二相冷媒の流量／液ヘッダ部分７ａに接続された伝熱管１５の本数）が液ヘッダ部分７ｂに接続された伝熱管１５の平均冷媒流量（液ヘッダ部分７ｂに供給される二相冷媒の流量／液ヘッダ部分７ｂに接続された伝熱管１５の本数）よりも多くなるように、分流器６は液ヘッダ部分７ａ，７ｂのそれぞれに対して二相冷媒を供給する。なお、後述の図５に示すように、本実施の形態１では、液ヘッダ部分７ａ，７ｂを同一形状（同一内径、同一高さ（Ｈａ＝Ｈｂ））としている。つまり、液ヘッダ部分７ａ，７ｂには同一本数の伝熱管１５が接続されている。このため、本実施の形態１では、分流器６において、風量の多い室外熱交換器８の上部の分割領域に接続された液ヘッダ部分７ａには、風量の少ない室外熱交換器８の下部の分割領域に接続された液ヘッダ部分７ｂよりも多くの二相冷媒を供給する。
【００２１】
このような液ヘッダ部分７ａ，７ｂへの冷媒分配を可能とするため、本実施の形態１に係る分流器６は、液ヘッダ部分７ａ，７ｂと接続される流路の内径が各液ヘッダ部分毎に異なって形成されている。これにより、液ヘッダ部分７ａ，７ｂのそれぞれへ供給する二相冷媒の量を異ならせることができる。
【００２２】
図４は、本発明の実施の形態１に係る空気調和装置における分流器の一例を示す断面図である。
分流器６は、本体部６ａ及び液ヘッダ部分の数と同数の接続配管部６ｂを備える。本体部６ａには、一端が第１の気液分離器５に接続され、他端が液ヘッダ部分と同数に分岐された流路が形成されている。そして、接続配管部６ｂは、一端が本体部６ａに形成された流路の他端（各分岐部）に接続され、他端が液ヘッダ部分７ａ，７ｂに接続されている。このとき、例えば、図４（ａ）に示すように、本体部６ａに形成された流路の他端（各分岐部）において、液ヘッダ部分７ａと接続される分岐部の断面積を液ヘッダ部分７ｂに接続される分岐部の断面積より大きく形成し、液ヘッダ部分７ａと接続される流路の断面積を液ヘッダ部分７ｂに接続される流路の断面積より大きくしてもよい。また例えば、図４（ｂ）に示すように、本体部６ａに形成された流路の他端（各分岐部）において、液ヘッダ部分７ｂに接続される分岐部にオリフィス１４を設け、液ヘッダ部分７ａと接続される流路の断面積を液ヘッダ部分７ｂに接続される流路の断面積より大きくしてもよい。また例えば、図４（ｃ）に示すように、液ヘッダ部分７ａと接続される接続配管部６ｂの断面積を液ヘッダ部分７ｂに接続される接続配管部６ｂの断面積より大きく形成し、液ヘッダ部分７ａと接続される流路の断面積を液ヘッダ部分７ｂに接続される流路の断面積より大きくしてもよい。いずれの場合も、風量の多い分割領域に接続された液ヘッダ部分７ａ側に多くの冷媒を供給できる。
【００２３】
また、図示しないが、液ヘッダ部分７ａと接続される接続配管部６ｂの長さを、液ヘッダ部分７ｂに接続される接続配管部６ｂの長さより長く形成してもよい。このように構成しても、風量の多い分割領域に接続された液ヘッダ部分７ａ側に多くの冷媒を供給できる。
【００２４】
なお、液ヘッダ部分７ａと液ヘッダ部分７ｂに供給する冷媒の分流比は例えば風量分布が最も偏る運転状態の風量分布にあわせて固定すればよい。また、後述の図８や図９に示すように液ヘッダ７を３つ以上に分割する場合には、本体部６ａに形成された流路の分岐部及び接続配管部６ｂの数を増やせばよい。
【００２５】
続いて、本実施の形態１に係る空気調和装置３００の動作について説明する。
【００２６】
空気調和装置３００が暖房運転する場合、圧縮機１で高温高圧に圧縮されたガス冷媒は、四方弁２の実線に沿って室内熱交換器３に流入し、図示しないファンなどの送風手段によって、室内空気との熱交換がなされて室内に熱を放出し、高温高圧の液冷媒に凝縮する。高温高圧の液冷媒は膨張弁４により減圧されて二相冷媒となり、第１の気液分離器５に流入する。二相冷媒は第１の気液分離器５でガス冷媒と液冷媒に分離され、ガス冷媒は流量制御機構１１で流量を制御されてバイパス回路１０を通して圧縮機１の吸入側に戻される。第１の気液分離器５でガス冷媒をバイパスすることで乾き度が制御された二相冷媒は、分流器６に流入される。つまり、分流器６には、ガス冷媒の量が調整された二相冷媒が流入する。分流器６に流入した二相冷媒は、２つに分割された液ヘッダ部分７ａと液ヘッダ部分７ｂとに供給される。そして、液ヘッダ部分７ａに供給された二相冷媒は、該液ヘッダ部分７ａに接続された各伝熱管１５（室外熱交換器８における上部の分割領域に配置された各伝熱管１５）に分配される。また、液ヘッダ部分７ｂに供給された二相冷媒は、該液ヘッダ部分７ｂに接続された各伝熱管１５（室外熱交換器８における下部の分割領域に配置された各伝熱管１５）に分配される。
【００２７】
ここで、本実施の形態１に係る空気調和装置３００においては、図５に示すように、各伝熱管１５に冷媒が分配される。
【００２８】
図５は、本発明の実施の形態１に係る空気調和装置の室外熱交換器における冷媒の分配分布を示す図である。
上述のように、分流器６は、液ヘッダ部分７ａ，７ｂのそれぞれに対して、液ヘッダ部分７ａ，７ｂと接続された分割領域の風量に応じた量の二相冷媒を供給する。このため、図５に示すように、風量の多い室外熱交換器８の上部の分割領域に接続された液ヘッダ部分７ａには、風量の少ない室外熱交換器８の下部の分割領域に接続された液ヘッダ部分７ｂよりも多くの二相冷媒が供給される。風量に合わせて冷媒量を分けることで風量の多い部分では多くの冷媒を、風量の少ない部分では相当の冷媒を処理できるので、室外熱交換器８を効率よく利用できる。
【００２９】
さらに、本実施の形態１では、ガス冷媒の量が調整された二相冷媒が液ヘッダ部分７ａ，７ｂに流入する。つまり、液ヘッダ部分７ａ，７ｂには、ガス冷媒速度が調整された冷媒が流入する。このため、液ヘッダ部分７ａ，７ｂ内の液冷媒はガス冷媒に同伴されて上方向に持ち上げられる。したがって、分割領域の伝熱管１５に対して、当該分割領域の風速分布（風量分布）に沿った冷媒を供給できる。このため、室外熱交換器８の性能をさらに向上できる。
【００３０】
なお、例えば空調負荷の変動により送風機１２の風量を変えた場合等、室外熱交換器８の風速分布が変わった場合には、流量制御機構１１の開度を制御することにより、液ヘッダ部分７ａ，７ｂに供給されるガス冷媒の量（つまりガス冷媒速度）を調整すればよい。例えば、送風機１２の風量が増加して分割領域内の風速分布の偏りが大きくなったときには、流量制御機構１１の開度を減少させて液ヘッダ部分７ａ，７ｂに流入するガス冷媒の量を増加させ、液ヘッダ部分７ａ，７ｂ内のガス冷媒速度を増加させればよい。これにより、より多くの液冷媒が上方に持ち上げられることとなり、分割領域内の風速分布に沿った冷媒分配が可能となる。また例えば、送風機１２の風量が減少して分割領域内の風速分布の偏りが小さくなったときには、流量制御機構１１の開度を増加させて液ヘッダ部分７ａ，７ｂに流入するガス冷媒の量を減少させ、液ヘッダ部分７ａ，７ｂ内のガス冷媒速度を減少させればよい。これにより、上方に持ち上げられる液冷媒の量が減少し、分割領域内の風速分布に沿った冷媒分配が可能となる。
【００３１】
上記のように室外熱交換器８の各伝熱管１５に流入した二相冷媒は、室外空気との熱交換がなされて室外から熱を吸収し、低圧のガス冷媒に蒸発し、四方弁２を通過して圧縮機１の吸入側に戻る。
【００３２】
空気調和装置３００が冷房運転する場合、圧縮機１で高温高圧に圧縮されたガス冷媒は四方弁２の破線に沿って室外熱交換器８に流入する。冷媒はガス単相であるので、ガスヘッダ９により室外熱交換器８の冷媒伝熱管にほぼ均等に分配供給される。流入したガス冷媒は、送風機１２によって、室外空気との熱交換がなされて室外に熱を放出し、高温高圧の液冷媒に凝縮する。高温高圧の液冷媒は第１の気液分離器５を通過し膨張弁４により減圧されて二相冷媒となり、室内熱交換器３に流入する。ここで流量制御機構１１は閉とし第１の気液分離器５から圧縮機１の吸入側に冷媒が戻らないようにしている。室内熱交換器３では室内空気との熱交換がなされて室内から熱を吸収し、低圧のガス冷媒に蒸発し、四方弁２を通過して圧縮機１の吸入側に戻る。
【００３３】
以上、本実施の形態１のように構成された空気調和装置３００においては、第１の気液分離器５で乾き度が調整された二相冷媒を分流器６に供給する。このため、本実施の形態１に係る空気調和装置３００は、各液ヘッダ部分７ａ，７ｂを流れるガス冷媒速度を調整することができる。また、本実施の形態１に係る空気調和装置３００においては、分流器６は、各液ヘッダ部分７ａ，７ｂに対して、各液ヘッダ部分７ａ，７ｂが接続された室外熱交換器８の分割領域に応じた量の二相冷媒を供給する。このため、本実施の形態１に係る空気調和装置３００は、ガス冷媒により液ヘッダ部分内において上方向に持ち上げられる液冷媒の量を風速分布に合わせて調節でき、分割領域内に風速分布に沿った冷媒を供給できるので、室外熱交換器８の性能を十分に向上できる。
【００３４】
実施の形態２．
実施の形態１では、液ヘッダ部分７ａ，７ｂを同一形状に形成した。これに限らず、液ヘッダ部分７ａと液ヘッダ部分７ｂの形状を異ならせてもよい。例えば、以下のように、液ヘッダ部分７ａと液ヘッダ部分７ｂの内径を異ならせてもよい。なお、本実施の形態２で記載されていない構成は実施の形態１と同様とし、実施の形態１と同様の構成には実施の形態１と同じ符号を付している。
【００３５】
図６は、本発明の実施の形態２に係る空気調和装置の室外熱交換器における冷媒の分配分布を示す図である。
図６に示すように、本実施の形態２に係る室外熱交換器８においても、送風機１２に近づくにつれて室外熱交換器８を通過する風速（風量）が大きくなっている。このような室外熱交換器８は、上部の分割領域の風速分布の偏りが、下部の分割領域の風速分布の偏りよりも大きくなる。なお、本実施の形態２に係る室外熱交換器８は、下部の分割領域では風速分布が一定となっている。
【００３６】
そこで、本実施の形態２では、送風機１２に近い位置に配置された液ヘッダ部分７ａの内径Ｄ７ａを、液ヘッダ部分７ｂの内径Ｄ７ｂよりも小さく形成している。液ヘッダ部分７ａの内径を小さくすることにより、液ヘッダ部分７ａを流れるガス冷媒の速度を早くできる。液ヘッダ部分７ａ内のガス冷媒の流速が速いほど、液ヘッダ部分７ａ内の液冷媒はガス冷媒に同伴されて上方向に持ち上げられる。このため、分割領域の風速分布の偏りが大きい場合でも、当該分割領域の伝熱管１５に対して、当該分割領域の風速分布（風量分布）に沿った冷媒を供給できる。
なお、本実施の形態２に係る液ヘッダ部分７ａ，７ｂは、実施の形態１と同様に同じ高さ（Ｈａ＝Ｈｂ）となっているが、これに限るものではない。例えば、Ｈａ＝Ｈｂのときと比べ、Ｈａ＜Ｈｂの場合には、室外熱交換器８の全容積のうち、送風機１２に遠い位置に配置された液ヘッダ部分７ｂに接続される室外熱交換器８の容積部分が大きくなる。一方、送風機１２に近い位置に配置された液ヘッダ部分７ａに接続される室外熱交換器８の容積部分は小さくなる。この場合、送風機１２に近い位置に配置された液ヘッダ部分７ａに流れる冷媒流量Ｇ７ａは、液ヘッダ部分７ｂに流れる冷媒流量Ｇ７ｂよりも少なくなる。例えば、液ヘッダ部分７ａ，７ｂの高さに比例して、Ｈａ：Ｈｂ＝Ｇ７ａ：Ｇ７ｂとなる。この場合の送風機１２に近い位置に配置された液ヘッダ部分７ａに流れる冷媒質量流束Ｇ７ａ’は、例えば次式（１）で定義できる。
Ｇ７ａ’＝Ｇ７ａ／｛（Ｄ７ａ／２）２×π｝…（１）
同様に、送風機１２に遠い位置に配置された液ヘッダ部分７ｂに流れる冷媒質量流束Ｇ７ｂ’は、例えば次式（２）で定義できる。
Ｇ７ｂ’＝Ｇ７ｂ／｛（Ｄ７ｂ／２）２×π｝…（２）
この時、式（１）の液ヘッダ部分７ａの内径Ｄ７ａをＤ７ａ’に置き換えた場合、液ヘッダ部分７ａに流れる冷媒質量流束と液ヘッダ部分７ｂに流れる冷媒質量流束が同等になるＤ７ａ’が存在する。すなわち、Ｇ７ａ’＝Ｇ７ｂ’を満たすＤ７ａ’が存在する。このＤ７ａ’は、Ｄ７ａ’＜Ｄ７ｂとなる。つまり、Ｇ７ａ’＝Ｇ７ｂ’となるように液ヘッダ部分７ａ，７ｂの内径を決定した場合、送風機１２に近い位置の液ヘッダ部分７ａの内径がＤ７ａ’となり、送風機１２に遠い位置の液ヘッダ部分７ｂの内径Ｄ７ｂよりも小さくなる。しかしながら、本実施の形態２において主張するところは、単純に液ヘッダ部分７ａ、７ｂの内径の大小ではなく、冷媒質量流束同等の径を考え、送風機１２に近い位置の液ヘッダ部分７ａの内径Ｄ７ａを、Ｄ７ａ＜Ｄ７ａ’とするところにある。Ｈａ＞Ｈｂの場合も同様である。
ここで、液ヘッダ部分７ａが、本発明の第１液ヘッダ部分に相当する。液ヘッダ部分７ｂが、本発明の第２液ヘッダ部分に相当する。Ｄ７ａ’が、本発明のＤ１に相当する。また、Ｄ７ａが、本発明のＤに相当する。
【００３７】
以上、本実施の形態２のように送風機１２に近い位置に配置された（風速分布の偏りが大きい分割領域に接続された）液ヘッダ部分７ａの内径を、送風機１２から離れた位置に配置された（風速分布の偏りが小さい分割領域に接続された）液ヘッダ部分７ｂの内径よりも小さく形成することにより、より風速分布に沿った冷媒分配が可能となり、室外熱交換器８の性能をさらに向上できる。
【００３８】
実施の形態３．
液ヘッダ部分７ａと液ヘッダ部分７ｂの形状を異ならせる場合、液ヘッダ部分７ａと液ヘッダ部分７ｂの高さを異ならせてもよい。なお、本実施の形態３で記載されていない構成は実施の形態１又は実施の形態２と同様とし、上記の実施の形態と同様の構成には上記の実施の形態と同じ符号を付している。
【００３９】
図７は、本発明の実施の形態３に係る空気調和装置の室外熱交換器における冷媒の分配分布を示す図である。
図７に示すように、本実施の形態３に係る室外熱交換器８においては、風速分布の偏りが大きい上部の分割領域の上下方向の幅が、風速分布の偏りの小さい（図７では一定）下部の分割領域の上下方向の幅よりも大きくなっている。このような場合、図７に示すように、液ヘッダ部分７ａの高さＨａを液ヘッダ部分７ｂの高さＨｂよりも大きくすればよい。つまり、Ｈａ＞Ｈｂとすればよい。
【００４０】
このように、風速分布の偏りが大きい上部の分割領域の上下方向の幅が大きい場合、当該分割領域に接続された液ヘッダ部分７ａの高さＨａも大きくすることにより、当該分割領域により多くの冷媒を供給することが可能となり、かつ、風速分布に沿った冷媒分配が可能となる。したがって、室外熱交換器８の性能をさらに向上できる。
【００４１】
実施の形態４．
実施の形態１〜実施の形態３では、液ヘッダ７を２つの液ヘッダ部分７ａ，７ｂに分割された。しかしながら、液ヘッダ７の分割数は２つに限定されるものではなく、液ヘッダ７を、本実施の形態４のように３つ以上に分割しても勿論よい。なお、本実施の形態４で記載されていない構成は実施の形態１〜実施の形態３のいずれかと同様とし、上記の実施の形態と同様の構成には上記の実施の形態と同じ符号を付している。
【００４２】
図８は、本発明の実施の形態４に係る空気調和装置の室外熱交換器における冷媒の分配分布を示す図である。
本実施の形態４では、液ヘッダ７を、上方に配置された液ヘッダ部分７ａ、中間に配置された液ヘッダ部分７ｂ、及び、下方に配置された液ヘッダ部分７ｃの３つに分割している。そして、最も風速分布の偏りが大きい上部の分割領域に接続された液ヘッダ部分７ａの内径を最も小さく、次に風速分布の偏りが大きい中央の分割領域に接続された液ヘッダ部分７ｂの内径を次に小さく、最も風速分布の偏りが小さい（一定となった）下部の分割領域に接続された液ヘッダ部分７ｃの内径を最も大きく形成している。
【００４３】
室外熱交換器８の上下方向の風速分布が送風機１２に近いところで急激に大きくなる場合では、本実施の形態４の様に、液ヘッダ７を３分割し、液ヘッダ７の内径を液ヘッダ部分７ｃ、液ヘッダ部分７ｂ、液ヘッダ部分７ａの順に小さくすることで風量分布に沿って、風量の大きな分割領域の部分に多くの冷媒を供給できる。したがって、室外熱交換器８の性能をさらに向上できる。
【００４４】
実施の形態５．
実施の形態２〜実施の形態４では、室外熱交換器８の上部の分割領域において風速分布の偏りが最も大きかったため、上方に配置された（つまり送風機１２に最も近い位置に配置された）液ヘッダ部分７ａの内径を最も小さくした。しかしながら、室外熱交換器８の仕様によっては、室外熱交換器８の上部でない位置において風速分布の偏りが最も大きくなる場合がある。このような場合、液ヘッダ７を次のように構成してもよい。なお、本実施の形態５で記載されていない構成は実施の形態１〜実施の形態４のいずれかと同様とし、上記の実施の形態と同様の構成には上記の実施の形態と同じ符号を付している。
【００４５】
図９は、本発明の実施の形態５に係る空気調和装置の室外熱交換器における冷媒の分配分布を示す図である。
例えば、図９に示すように、室外熱交換器８は、その一部に室外熱交換器８ａが追加され、熱交換器の列数が増加している。このため、本実施の形態５に係る室外熱交換器８は、室外熱交換器８ａが追加された箇所において室外熱交換器８を通過する空気の圧力損失が大きくなるため、風速分布が平準化される。このため、本実施の形態５では、室外熱交換器８の上部及び下部の分割領域は風速分布の偏りが小さく（一定となっており）、室外熱交換器８の中央の分割領域の風速分布の偏りが大きくなっている。
【００４６】
そこで、本実施の形態５では、液ヘッダ７を、上方に配置された液ヘッダ部分７ａ、中間に配置された液ヘッダ部分７ｂ、及び、下方に配置された液ヘッダ部分７ｃの３つに分割している。そして、風速分布の偏りが大きい中央の分割領域に接続された液ヘッダ部分７ｂの内径を小さく、風速分布の偏りが小さい（一定となった）上部及び下部の分割領域に接続された液ヘッダ部分７ａ，７ｃの内径を大きく形成している。液ヘッダ部分７ｂの内径を液ヘッダ部分７ａ，７ｃの内径より小さくすることで、風量分布が一定の部分には室外熱交換器８の高さ方向に均一の冷媒を、風速分布が増加する部分には室外熱交換器８の風速分布に沿って、冷媒を供給できる。したがって、室外熱交換器８の性能を十分に向上できる。
【００４７】
なお、図９では熱交換器の列数を増やした場合を示したが、これ以外に室外熱交換器８のフィンピッチを小さくする、室外熱交換器８の伝熱管１５の配置密度を大きくする等によっても、当該箇所において風速分布が平準化される。
【００４８】
実施の形態６．
本発明は、熱源機（室外機）に対して複数の室内機が接続され、室内機ごとに冷暖房を選択的に、かつある室内機では冷房を、別の室内機では暖房を同時に行うことができる多室型空気調和装置にも適用できる。なお、本実施の形態６で記載されていない構成は実施の形態１〜実施の形態５のいずれかと同様とし、上記の実施の形態と同様の構成には上記の実施の形態と同じ符号を付している。
【００４９】
本実施の形態６に係る空気調和装置（多室型空気調和装置）は、前記圧縮機、四方弁、上下方向に複数の前記液ヘッダ部分に分割された前記液ヘッダ、前記分流器、前記室外熱交換器及び前記室外送風機を少なくとも有する前記室外機と、第１の接続配管及び第２の接続配管により前記室外機に接続される中継器と、少なくとも室内熱交換器を有し、前記中継器に互いに並列に接続される複数の室内機と、を備え、前記室外機は、冷房、暖房、冷房主体及び暖房主体の各運転モードに応じて、前記圧縮機から吐出される冷媒を、前記四方弁、前記液ヘッダ及び前記室外熱交換器を経由して前記第２の接続配管に導く第１の径路と、前記四方弁を経由するが前記液ヘッダ及び前記室外熱交換器は経由せずに前記第２の接続配管に導く第２の径路と、を有し、前記中継器は、前記第２の接続配管の途中に接続される第２の気液分離器と、前記室内機のそれぞれを前記第１の接続配管及び第２の接続配管のいずれか一方に選択的に接続する切替部と、前記第２の気液分離器と前記室内機のそれぞれとを接続する第２のバイパス配管と、前記第１の接続配管と前記第２のバイパス配管とを接続する第３のバイパス配管と、前記第３のバイパス配管に介在し、前記膨張弁として機能するバイパス配管流量制御装置と、を有し、前記第１の接続配管に接続され、暖房運転モード及び暖房主体運転モードにおいて前記第１の気液分離器として機能する第３の気液分離器と、前記第３の気液分離器と前記圧縮機の吸入側とを接続し、暖房運転モード及び暖房主体運転モードにおいて前記バイパス回路として機能するガス側出口配管及び流量制御機構と、暖房運転モード及び暖房主体運転モードにおいて、前記第３の気液分離器で乾き度が調整された二相冷媒を前記分流器に供給する第３の経路と、を有するものである。
また、本実施の形態６に係る空気調和装置においては、前記室内機は、該室内機が暖房するときに前記凝縮器として機能する室内熱交換器と、前記膨張弁として機能する第１の流量制御装置と、を備えたものである。
【００５０】
図１０は、本発明の実施の形態６に係る多室型空気調和装置１００００の冷媒回路構成の一例を示す冷媒回路図である。図１０に基づいて、多室型空気調和装置１００００の冷媒回路構成について説明する。
本実施の形態６に係る多室型空気調和装置１００００は、室外機（熱源機ともいう）１０１と、中継器１０２と、複数台の室内機１０３（１０３ａ，１０３ｂ，１０３ｃ）とを備えている。なお、この実施例では、室外機１台に、中継器１台、室内機３台を接続した場合について説明するが、２台以上の室外機、２台以上の中継器、及び２台以上の室内機を接続した場合も同様である。
【００５１】
以下、各装置の構成についてさらに詳しく説明する。
【００５２】
（室外機１０１の構成）
室外機１０１は、冷媒を圧縮して吐出する圧縮機１、室外機１０１の冷媒流通方向を切り替える切替弁である四方弁２、ガスヘッダ９、室外熱交換器８、液ヘッダ７（液ヘッダ部分７ａ，７ｂ）、分流器６、アキュムレーター４４、第３の気液分離器１４０を内蔵している。第３の気液分離器１４０の入口は、後述する中継器１０２の内部にある第１の接続配管２１に接続されている。第３の気液分離器１４０において気液分離された液冷媒、あるいは乾き度が調整された二相冷媒を流出する液側出口配管２５は、逆止弁１６０を介して四方弁２に接続されている。逆止弁１６０は、第３の気液分離器１４０から四方弁２の方へのみ液冷媒の流通を許容するものである。また、第３の気液分離器１４０にて気液分離されたガス冷媒を流出するガス側出口配管２６は、流量制御機構として機能するガス側バイパス流路抵抗１５０を介してアキュムレーター４４の入口または内部に接続されている。このように、第３の気液分離器１４０における冷媒の流れ方向が圧縮機１の吸入側に向かって一方向流れとなるように構成されている。
【００５３】
圧縮機１、四方弁２、ガスヘッダ９、室外熱交換器８、（液ヘッダ部分７ａ，７ｂ）、分流器６は、この順に吐出配管３１で接続されている。さらに室外熱交換器８は、逆止弁１９０が設けられた冷媒配管３２により、第１の接続配管２１より細い第２の接続配管２２を介して中継器１０２と接続されている。逆止弁１９０は、室外熱交換器８から第２の接続配管２２の方へのみ冷媒の流通を許容する機能を有するものである。そして、上記液側出口配管２５と冷媒配管３２とは、逆止弁１７０を有する短絡配管３３と逆止弁１８０を有する短絡配管３４により接続されている。逆止弁１７０及び逆止弁１８０は、いずれも液側出口配管２５から冷媒配管３２の方へのみ冷媒の流通を許容するものである。上記の逆止弁１６０，１７０，１８０，１９０を有する回路により室外機側の流路切替回路３５が構成されている。
【００５４】
アキュムレーター４４の出口と圧縮機１の吸入口とは吸入配管３６で接続され、四方弁２とアキュムレーター４４とは冷媒配管３７で接続されている。
【００５５】
室外機１０１には室外熱交換器８に熱交換対象となる空気（室外空気）を供給する送風機１２（図１０では図示せず、図２参照）も設けられている。
【００５６】
（中継器１０２の構成）
上記のように構成された室外機１０１と中継器１０２とは、太い配管である第１の接続配管２１と、第１の接続配管２１より細い配管である第２の接続配管２２とにより接続されている。
【００５７】
中継器１０２は、第２の接続配管２２の途中に接続された第２の気液分離装置（中継器内気液分離装置）５０を備えている。第２の気液分離器５０の気相部は、それぞれ電磁弁１２０ａ，１２０ｂ，１２０ｃを介して、互いに並列接続された室内機１０３ａ，１０３ｂ，１０３ｃの分岐配管２１ａ，２１ｂ，２１ｃに接続されている。分岐配管２１ａ，２１ｂ，２１ｃは、室内機１０３ａ，１０３ｂ，１０３ｃの室内熱交換器１０００ａ，１０００ｂ，１０００ｃに接続されている。また、分岐配管２１ａ，２１ｂ，２１ｃには、電磁弁１３０ａ，１３０ｂ，１３０ｃも設けられている。ここで、電磁弁１２０ａ，１２０ｂ，１２０ｃと電磁弁１３０ａ，１３０ｂ，１３０ｃとからなる回路部を「切替部１０４」と称するものとする。
また、第２の気液分離器５０の液相部は、第２のバイパス配管２３に接続されており、第２のバイパス配管２３は、それぞれ分岐配管２２ａ，２２ｂ，２２ｃを介して室内機１０３ａ，１０３ｂ，１０３ｃに接続されている。これら分岐配管２２ａ，２２ｂ，２２ｃには、第１の流量制御装置１１０ａ，１１０ｂ，１１０ｃが設けられている。
【００５８】
また、第１の接続配管２１から分岐する第３のバイパス配管２４が設けられ、第３のバイパス配管２４の他端は第２のバイパス配管２３に接続されている。そして、第２のバイパス配管２３と第３のバイパス配管２４との間には、両バイパス配管２３，２４を流通する冷媒間で熱交換する第１の熱交換器６０と第２の熱交換器７０が設けられている。また、第１の熱交換器６０と第２の熱交換器７０との間となる第２のバイパス配管２３には開閉自在な第３の流量制御装置８５が設けられている。また、第２の熱交換器７０と第３のバイパス配管２４の他端接続部（第２のバイパス配管２３との接続部）との間には開閉自在な第２の流量制御装置９０（バイパス配管流量制御装置）が設けられている。
【００５９】
（室内機１０３の構成）
室内機１０３ａ，１０３ｂ，１０３ｃは、上記中継器１０２の第１の接続配管２１から分岐した分岐配管２１ａ，２１ｂ，２１ｃと第２のバイパス配管２３から分岐した分岐配管２２ａ，２２ｂ，２２ｃとを通じて冷媒が循環するように接続されている。各室内機１０３ａ，１０３ｂ，１０３ｃは、それぞれ室内熱交換器１０００ａ，１０００ｂ，１０００ｃと、開閉自在な第１の流量制御装置１１０ａ，１１０ｂ，１１０ｃとを備えている。第１の流量制御装置１１０ａ，１１０ｂ，１１０ｃは、室内熱交換器１０００ａ，１０００ｂ，１０００ｃに近接して接続され、冷房時は室内熱交換器１０００ａ，１０００ｂ，１０００ｃの出口側過熱度、暖房時は過冷却度により調整される。
【００６０】
この多室型空気調和装置１００００が実行する各種運転時の運転動作について説明する。多室型空気調和装置１００００の運転動作には、冷房、暖房、冷房主体及び暖房主体の４つの運転モードがある。
【００６１】
ここで、冷房運転モードとは、運転する室内機全てが冷房である運転モードであり、暖房運転モードとは、運転する室内機全てが暖房である運転モードである。冷房主体運転モードとは、冷房運転する室内機と暖房運転する室内機が混在し、暖房負荷に比べて冷房負荷が大きい運転モードである。暖房主体運転モードとは、冷房運転する室内機と暖房運転する室内機が混在し、冷房負荷に比べて暖房負荷が大きい運転モードである。
冷房主体運転モードでは、室外熱交換器８は圧縮機１の吐出側に接続され、凝縮器（放熱器）として作用する。暖房主体運転モードでは、室外熱交換器８は圧縮機１の吸入側に接続され、蒸発器として作用している運転モードである。以降、各運転モードの冷媒の流れを説明する。
【００６２】
（暖房運転モード）
図１１は、本発明の実施の形態６に係る多室型空気調和装置における暖房運転時の冷媒の流れを表す冷媒回路図である。ここでは、室内機１０３ａ，１０３ｂ，１０３ｃの全てが暖房をしようとしている場合について説明する。
暖房運転を行う場合、四方弁２を、圧縮機１から吐出された冷媒が室外熱交換器８及び液ヘッダ７を経由せずに第２の接続配管２２を通って、電磁弁１２０ａ，１２０ｂ，１２０ｃと、電磁弁１３０ａ，１３０ｂ，１３０ｃとからなる切替部１０４へ流入するように切り替える。また、切替部１０４においては、分岐配管２１ａ，２１ｂ，２１ｃに設けられた電磁弁１３０ａ，１３０ｂ，１３０ｃは閉状態に制御され、第２の接続配管２２から室内機１０３ａ，１０３ｂ，１０３ｃに接続された配管に設けられた電磁弁１２０ａ，１２０ｂ，１２０ｃは開状態に制御されている。なお、図１１において、実線で表された配管及び機器類が冷媒の循環する径路を示し、点線で示す径路には冷媒は流れないことを示している。
【００６３】
圧縮機１から吐出された高温高圧のガス冷媒は、四方弁２から短絡配管３４、逆止弁１８０を通り、第２の接続配管２２及び第２の気液分離器５０を経由して切替部１０４に流入する。切替部１０４に流入した高温高圧のガス冷媒は切替部１０４で分岐され、電磁弁１２０ａ，１２０ｂ，１２０ｃを通り、室内熱交換器１０００ａ，１０００ｂ，１０００ｃに流入する。そして、冷媒が室内空気を加熱しながら冷却され、中温高圧の液冷媒となる。
【００６４】
室内熱交換器１０００ａ，１０００ｂ，１０００ｃから流出した中温高圧の液冷媒は、第１の流量制御装置１１０ａ，１１０ｂ，１１０ｃに流入し、分岐配管２２ａ，２２ｂ，２２ｃからなる第２の分岐部１０５で合流し、さらに第２の流量制御装置９０に流入する。そして、高圧の液冷媒は第２の流量制御装置９０で絞られて膨張、減圧し、低温低圧の気液二相状態になる。
【００６５】
第２の流量制御装置９０を出た低温低圧の気液二相状態の冷媒は、第３のバイパス配管２４、第１の接続配管２１を介して、室外機１０１内の第３の気液分離器１４０に流入する。第３の気液分離器１４０で気液分離されたガス冷媒はガス側出口配管２６、ガス側バイパス流路抵抗１５０を介して、アキュムレーター４４の入口または内部へと流入される。また、第３の気液分離器１４０で気液分離され乾き度が制御された二相冷媒は液側出口配管２５から、短絡配管３３、逆止弁１７０を介した後、分流器６に流入される。分流器６に流入した二相冷媒は、２つに分割された液ヘッダ部分７ａと液ヘッダ部分７ｂとに供給される。そして、液ヘッダ部分７ａに供給された二相冷媒は、該液ヘッダ部分７ａに接続された各伝熱管１５（室外熱交換器８における上部の分割領域に配置された各伝熱管１５）に分配される。また、液ヘッダ部分７ｂに供給された二相冷媒は、該液ヘッダ部分７ｂに接続された各伝熱管１５（室外熱交換器８における下部の分割領域に配置された各伝熱管１５）に分配される。室外熱交換器８へと流入した冷媒は室外空気を冷却しながら加熱され、低温低圧のガス冷媒となる。
【００６６】
室外熱交換器８を出た低温低圧のガス冷媒はガスヘッダ９を介して四方弁２を通り、第３の気液分離器１４０により気液分離されたガス冷媒とアキュムレーター４４の入口または内部にて合流し、圧縮機１に流入し、圧縮される。以後、冷媒は上記と同じ径路を循環する。
【００６７】
（冷房運転モード）
図１２は、本発明の実施の形態６に係る多室型空気調和装置における冷房運転時の冷媒の流れを表す冷媒回路図である。ここでは、室内機１０３ａ，１０３ｂ，１０３ｃの全てが冷房しようとしている場合について説明する。
冷房を行う場合、四方弁２を、圧縮機１から吐出された冷媒が室外熱交換器８へ流入するように切り替える。また、切替部１０４においては、室内機１０３ａ，１０３ｂ，１０３ｃに接続された電磁弁１３０ａ，１３０ｂ，１３０ｃは開状態に制御され、電磁弁１２０ａ，１２０ｂ，１２０ｃは閉状態に制御されている。なお、図１２において、実線で表された配管及び機器類が冷媒の循環する径路を示し、点線で示す径路には冷媒は流れないことを示している。
【００６８】
圧縮機１から吐出された高温高圧のガス冷媒は、四方弁２を介して室外熱交換器８に流入する。このとき、冷媒が室外空気を加熱しながら冷却され、中温高圧の液冷媒となる。
【００６９】
室外熱交換器８から流出した中温高圧の液冷媒は、逆止弁１９０を介して第２の接続配管２２、第２の気液分離器５０及び第２のバイパス配管２３、第３の流量制御装置８５を通り、第１の熱交換器６０と第２の熱交換器７０で第３のバイパス配管２４を流れる冷媒と熱交換し、冷却される。
【００７０】
第１の熱交換器６０及び第２の熱交換器７０で冷却された液冷媒は、一部の冷媒を第３のバイパス配管２４にバイパスさせながら、分岐配管２２ａ，２２ｂ，２２ｃからなる第２の分岐部１０５に流入する。第２の分岐部１０５に流入した高圧の液冷媒は、第２の分岐部１０５で分岐され、第１の流量制御装置１１０ａ，１１０ｂ，１１０ｃに流入する。そして、高圧の液冷媒は第１の流量制御装置１１０ａ，１１０ｂ，１１０ｃで絞られて膨張、減圧し、低温低圧の気液二相状態になる。
【００７１】
第１の流量制御装置１１０ａ，１１０ｂ，１１０ｃを出た低温低圧の気液二相状態の冷媒は室内熱交換器１０００ａ，１０００ｂ，１０００ｃに流入する。そして、冷媒が室内空気を冷却しながら加熱され、低温低圧のガス冷媒となる。
【００７２】
室内熱交換器１０００ａ，１０００ｂ，１０００ｃを出た低温低圧のガス冷媒はそれぞれ電磁弁１３０ａ，１３０ｂ，１３０ｃを通り、第３のバイパス配管２４の第１の熱交換器６０及び第２の熱交換器７０で加熱された低温低圧のガス冷媒と合流し、第１の接続配管２１に流入する。この際、本冷媒回路では、第２の気液分離器５０の入口の冷媒流れは一方向となるため、第１の接続配管２１を通ったガス冷媒は第３の気液分離器１４０に流入し、ガス側出口配管２６と液側出口配管２５の２経路に分岐して流出していく。ガス側出口配管２６に流出したガス冷媒はガス側バイパス流路抵抗１５０を通り、アキュムレーター４４の入口または内部へと流入する。液側出口配管２５に流出したガス冷媒は逆止弁１６０を通り、四方弁２を介して、アキュムレーター４４へ流入される。
【００７３】
第３の気液分離器１４０で分岐されたガス冷媒はアキュムレーター４４の入口または内部で合流し、圧縮機１に流入し、圧縮される。この際、第１の接続配管２１を通って流入したガス冷媒が第３の気液分離器１４０により分岐されたことにより、第３の気液分離器１４０からアキュムレーター４４までの経路での流路断面積を増やすこととなり、同経路での圧力損失を低減することが可能となる。そのため、圧縮機吸入温度は高く維持され、圧縮機１のパフォーマンスは向上する。
【００７４】
（暖房主体運転モード）
図１３は、本発明の実施の形態６に係る多室型空気調和装置における暖房主体運転時の冷媒の流れを表す冷媒回路図である。ここでは、室内機１０３ｃが冷房を、室内機１０３ａ，１０３ｂが暖房をしている場合について説明する。この場合、四方弁２を、圧縮機１から吐出された冷媒が第２の接続配管２２を通って、電磁弁１２０ａ，１２０ｂ，１２０ｃと、電磁弁１３０ａ，１３０ｂ，１３０ｃとからなる切替部１０４へ流入するように切り替える。また、切替部１０４においては、室内機１０３ａ，１０３ｂ，１０３ｃに接続された電磁弁１３０ａ，１３０ｂ，１２０ｃは閉状態に制御され、電磁弁１２０ａ，１２０ｂ，１３０ｃは開状態に制御されている。なお、図１３において、実線で表された配管及び機器類が冷媒の循環する径路を示し、点線で示す径路には冷媒は流れないことを示している。
【００７５】
圧縮機１から吐出された高温高圧のガス冷媒は、四方弁２から短絡配管３４、逆止弁１８０を通り、第２の接続配管２２及び第２の気液分離器５０を経由して切替部１０４に流入する。切替部１０４に流入した高温高圧のガス冷媒は切替部１０４で分岐され、電磁弁１２０ａ，１２０ｂを通り、暖房を行う室内熱交換器１０００ａ，１０００ｂに流入する。そして、冷媒が室内空気を加熱しながら冷却され、中温高圧の液冷媒となる。
【００７６】
室内熱交換器１０００ａ，１０００ｂから流出した中温高圧の液冷媒は、第１の流量制御装置１１０ａ，１１０ｂに流入し、分岐配管２２ａ，２２ｂ，２２ｃからなる第２の分岐部１０５で合流する。第２の分岐部１０５で合流した高圧の液冷媒の一部は、冷房を行う室内機１０３ｃに接続された第１の流量制御装置１１０ｃに流入する。そして、高圧の液冷媒は第１の流量制御装置１１０ｃで絞られて膨張、減圧し、低温低圧の気液二相状態になる。第１の流量制御装置１１０ｃを出た低温低圧で気液二相状態の冷媒は、冷房を行う室内熱交換器１０００ｃに流入する。そして、冷媒が室内空気を冷却しながら加熱され、低温低圧のガス冷媒となる。室内熱交換器１０００ｃを出た低温低圧のガス冷媒は、電磁弁１３０ｃを通り、第１の接続配管２１に流入する。
【００７７】
一方、暖房を行う室内熱交換器１０００ａ，１０００ｂから第２の分岐部１０５に流入した高圧の液冷媒の残りは、第２の流量制御装置９０に流入する。そして、高圧の液冷媒は第２の流量制御装置９０で絞られて膨張（減圧）し、低温低圧の気液二相状態になる。第２の流量制御装置９０を出た低温低圧で気液二相状態の冷媒は、第３のバイパス配管２４を通って、第１の接続配管２１に流入し、冷房を行う室内熱交換器１０００ｃから流入した低温低圧の蒸気状冷媒と合流する。
【００７８】
第１の接続配管２１で合流した低温低圧で気液二相状態の冷媒は、室外機１０１内の第３の気液分離器１４０に流入する。第３の気液分離器１４０で気液分離されたガス冷媒はガス側出口配管２６、ガス側バイパス流路抵抗１５０を介して、アキュムレーター４４の入口または内部に流入される。第３の気液分離器１４０で気液分離され乾き度が制御された二相冷媒は液側出口配管２５から、短絡配管３３、逆止弁１７０を介した後、分流器６に流入される。分流器６に流入した二相冷媒は、２つに分割された液ヘッダ部分７ａと液ヘッダ部分７ｂとに供給される。そして、液ヘッダ部分７ａに供給された二相の液冷媒は、該液ヘッダ部分７ａに接続された各伝熱管１５（室外熱交換器８における上部の分割領域に配置された各伝熱管１５）に分配される。また、液ヘッダ部分７ｂに供給された二相冷媒は、該液ヘッダ部分７ｂに接続された各伝熱管１５（室外熱交換器８における下部の分割領域に配置された各伝熱管１５）に分配される。室外熱交換器８へと流入した冷媒は室外空気から吸熱して室外空気を冷却しながら加熱され、低温低圧のガス冷媒となる。室外熱交換器８を出た低温低圧のガス冷媒は、四方弁２を通り、第３の気液分離器１４０により気液分離されたガス冷媒とアキュムレーター４４の入口または内部にて合流し、圧縮機１に流入し、圧縮される。この際、第３の気液分離器１４０で一部ガス冷媒をバイパスさせることで、室外熱交換器８の圧力損失を低減することが可能となる。
【００７９】
なお、アキュムレーター４４は設けない構成とすることもでき、この場合は、ガス側出口配管２６は圧縮機１の吸入側に接続される。
【００８０】
（冷房主体運転モード）
図１４は、本発明の実施の形態６に係る多室型空気調和装置における冷房主体運転時の冷媒の流れを表す冷媒回路図である。ここでは、室内機１０３ｂ，１０３ｃが冷房を、室内機１０３ａが暖房をしている場合について説明する。この場合、四方弁２を、圧縮機１から吐出された冷媒が室外熱交換器８へ流入するように切り替える。また、切替部１０４においては、室内機１０３ａ，１０３ｂ，１０３ｃに接続された電磁弁１２０ａ，１３０ｂ，１３０ｃは開状態に制御され、電磁弁１３０ａ，１２０ｂ，１２０ｃは閉状態に制御されている。なお、図１４において、実線で表された配管及び機器類が冷媒の循環する径路を示し、点線で示す径路には冷媒は流れないことを示している。
【００８１】
圧縮機１から吐出された高温高圧のガス冷媒は、四方弁２を介して室外熱交換器８に流入する。このとき、室外熱交換器８では暖房で必要な熱量を残して、冷媒が室外空気を加熱しながら冷却され、中温高圧の気液二相状態となる。
【００８２】
室外熱交換器８から流出した中温高圧の気液二相冷媒は、逆止弁１９０を介して第２の接続配管２２を通り、第２の気液分離器５０に流入する。そして、第２の気液分離器５０において、ガス冷媒と液冷媒とに分離される。
第２の気液分離器５０で分離されたガス冷媒は、電磁弁１２０ａを介して暖房を行う室内熱交換器１０００ａに流入する。そして、冷媒が室内空気を加熱しながら冷却され、中温高圧のガス冷媒となる。
一方、第２の気液分離器５０で分離された液冷媒は、第１の熱交換器６０に流入し、第３のバイパス配管２４を流れる低圧冷媒と熱交換して冷却される。
【００８３】
暖房を行う室内熱交換器１０００ａから流出した冷媒と、第１の熱交換器６０から流出した冷媒は、それぞれ第１の流量制御装置１１０ａと第３の流量制御装置８５、第２の熱交換器７０を通って合流する。
合流した液冷媒は、一部の冷媒を第３のバイパス配管２４にバイパスさせながら、分岐配管２２ａ，２２ｂ，２２ｃからなる第２の分岐部１０５で分岐され、冷房を行う室内機１０３ｂ，１０３ｃの第１の流量制御装置１１０ｂ，１１０ｃに流入する。そして、高圧の液冷媒は第１の流量制御装置１１０ｂ，１１０ｃで絞られて膨張、減圧し、低温低圧の気液二相状態になる。この第１の流量制御装置１１０ｂ，１１０ｃでの冷媒の状態変化はエンタルピーが一定のもとで行われる。
【００８４】
第１の流量制御装置１１０ｂ，１１０ｃを出た低温低圧の気液二相状態の冷媒は冷房を行う室内熱交換器１０００ｂ，１０００ｃに流入する。そして、冷媒が室内空気を冷却しながら加熱され、低温低圧のガス冷媒となる。
室内熱交換器１０００ｂ，１０００ｃを出た低温低圧のガス冷媒は、それぞれ電磁弁１３０ｂ，１３０ｃを通り、合流して第１の接続配管２１を流通する。そして、第１の接続配管２１を合流して流通する低温低圧のガス冷媒は、第３のバイパス配管２４の第１の熱交換器６０及び第２の熱交換器７０で加熱された低温低圧のガス冷媒とさらに合流し、第１の接続配管２１に流入する。
【００８５】
第１の接続配管２１を通ったガス冷媒は、室外機１０１内の第３の気液分離器１４０に流入し、ガス側出口配管２６と液側出口配管２５の２経路に分岐して流出していく。ガス側出口配管２６に流出したガス冷媒は、ガス側バイパス流路抵抗１５０を通り、アキュムレーター４４の入口または内部へと流入する。液側出口配管２５に流出したガス冷媒は、逆止弁１６０を通り、四方弁２を介して、アキュムレーター４４へ流入される。第３の気液分離器１４０で分岐されたガス冷媒は、アキュムレーター４４の入口または内部で合流し、圧縮機１に流入し、圧縮される。この際、第１の接続配管２１を通って流入したガス冷媒が第３の気液分離器１４０により分岐されたことにより、第３の気液分離器１４０からアキュムレーター４４までの経路での流路断面積を増やすこととなり、同経路での圧力損失を低減することが可能となる。そのため、圧縮機吸入温度は高く維持され、圧縮機１のパフォーマンスは向上する。
【００８６】
以上、本実施の形態６のように構成された多室型空気調和装置１００００においても、暖房運転モード及び暖房主体運転モードにおいて、第３の気液分離器１４０で乾き度が調整された二相冷媒を分流器６に供給する。このため、本実施の形態６に係る多室型空気調和装置１００００においても、各液ヘッダ部分７ａ，７ｂを流れるガス冷媒速度を調整することができる。また、本実施の形態６に係る多室型空気調和装置１００００においても、分流器６は、各液ヘッダ部分７ａ，７ｂに対して、各液ヘッダ部分７ａ，７ｂが接続された室外熱交換器８の分割領域に応じた量の二相冷媒を供給する。このため、本実施の形態６に係る多室型空気調和装置１００００においても、ガス冷媒により液ヘッダ部分内において上方向に持ち上げられる液冷媒の量を風速分布に合わせて調節でき、分割領域内に風速分布に沿った冷媒を供給できるので、室外熱交換器８の性能を十分に向上できる。
【００８７】
なお、本実施の形態６では、実施の形態１で示した室外熱交換器８及び液ヘッダ７を用いた例について示したが、実施の形態２〜実施の形態５で示した室外熱交換器８及び液ヘッダ７を用いてもよい。実施の形態２〜実施の形態５で示した効果を得ることができる。
また、第２のバイパス配管２３に設けられた第１の熱交換器６０、第２の熱交換器７０及び第３の流量制御装置８５は、第２の気液分離器５０から流出した液冷媒の過冷却度を増大させるためのものである。このため、第１の熱交換器６０、第２の熱交換器７０及び第３の流量制御装置８５は、本発明において必須の構成ではない。
【００８８】
実施の形態７．
本発明を実施できる多室型空気調和装置１００００は、実施の形態６で示した多室型空気調和装置１００００に限られるものでなく、例えば以下のように構成してもよい。なお、本実施の形態７に記載されていない構成は実施の形態１〜実施の形態６のいずれかと同様とし、上記の実施の形態と同様の構成には上記の実施の形態と同じ符号を付している。
【００８９】
本実施の形態７に係る空気調和装置（多室型空気調和装置）においては、前記中継器は、前記室内機が暖房するときに前記凝縮器として機能する複数の中間熱交換器と、前記中間熱交換器のそれぞれに接続されて前記膨張弁として機能する複数の第１の流量制御装置と、を備え前記室内機は、前記中間熱交換器に接続される室内熱交換器を備え、冷媒が前記室外機と前記中継器の前記中間熱交換器とを流れるように、閉じられた第１の冷媒回路を構成し、前記冷媒とは別の冷媒が前記室内機と前記中継器の前記中間熱交換器を流れるように、閉じられた第２の冷媒回路を構成している。
【００９０】
図１５は、本発明の実施の形態７に係る多室型空気調和装置の冷媒回路構成の一例を示す冷媒回路図である。各運転モードにおける四方弁２と電磁弁１２０ａ，１２０ｂ，１２０ｃ，１３０ａ，１３０ｂ，１３０ｃの状態について以下に記載する。
図１５は、冷房運転時の四方弁２の向きとなっており、冷房運転時では中継器１０２内の電磁弁１２０ａ，１２０ｂ，１２０ｃは閉状態に制御され、電磁弁１３０ａ，１３０ｂ，１３０ｃは開状態に制御されている。
【００９１】
暖房運転時では、冷媒は圧縮機１から室内機１０３へ流出するように四方弁２が切り替えられ、中継器１０２内の電磁弁１２０ａ，１２０ｂ，１２０ｃは開状態に制御され、電磁弁１３０ａ，１３０ｂ，１３０ｃは閉状態に制御されている。
冷房主体運転時では、例えば室内機１０３ｃが暖房運転で、室内機１０３ａ，１０３ｂが冷房運転の場合、冷媒は圧縮機１から室外熱交換器８へ流出するように四方弁２が切り替えられ、中継器１０２内の電磁弁１３０ａ，１３０ｂ，１２０ｃは開状態に制御され、電磁弁１２０ａ，１２０ｂ，１３０ｃは閉状態に制御されている。
【００９２】
暖房主体運転では、例えば室内機１０３ｃが冷房運転で、室内機１０３ａ，１０３ｂが暖房運転の場合、冷媒は圧縮機１から室内機１０３へ流出するように四方弁２が切り替えられ、中継器１０２内の電磁弁１２０ａ，１２０ｂ，１３０ｃは開状態に制御され、電磁弁１３０ａ，１３０ｂ，１２０ｃは閉状態に制御されている。
【００９３】
さらに、この実施の形態７では、以下のように別々の冷媒が循環する中継器側冷媒回路４１（４１ａ，４１ｂ，４１ｃ）と室内機側冷媒回路４２（４２ａ，４２ｂ，４２ｃ）とが構成され、両冷媒回路４１，４２間に中間熱交換器４０（４０ａ，４０ｂ，４０ｃ）を介在させる構成となっている。すなわち、冷媒が、室外機１０１と、第１の接続配管２１及び第２の接続配管２２により室外機１０１に接続された中継器１０２の中間熱交換器４０（４０ａ，４０ｂ，４０ｃ）とを循環するように、分岐配管２２ａ，２２ｂ，２２ｃと分岐配管２１ａ，２１ｂ，２１ｃとを接続して、閉じられた冷媒回路４１ａ，４１ｂ，４１ｃを構成する。そして、この冷媒回路４１ａ，４１ｂ，４１ｃにそれぞれ第１の流量制御装置１１０ａ，１１０ｂ，１１０ｃを設ける。
一方、上記冷媒とは別の冷媒（例えば、水または不凍液）が室内機１０３ａ，１０３ｂ，１０３ｃの室内熱交換器１０００ａ，１０００ｂ，１０００ｃと中継器１０２の中間熱交換器４０（４０ａ，４０ｂ，４０ｃ）とを循環するように閉じられた冷媒回路４２ａ，４２ｂ，４２ｃを構成する。冷媒回路４２ａ，４２ｂ，４２ｃには、ポンプ４３ａ，４３ｂ，４３ｃを設け、上記の中継器側冷媒回路４１ａ，４１ｂ，４１ｃと室内機側冷媒回路４２ａ，４２ｂ，４２ｃとの間に中間熱交換器４０ａ，４０ｂ，４０ｃを介在させ、中間熱交換器４０により両冷媒回路４１，４２を流れる冷媒間で熱交換させる。その他の機能及び構成は実施の形態６と同様である。
【００９４】
このように、中継器側冷媒回路４１と室内機側冷媒回路４２とで別の冷媒が流れている場合でも実施の形態６と同様の効果を得ることができる。
【００９５】
実施の形態８．
実施の形態６及び実施の形態７では、第３の気液分離器１４０が室外機１０１に設けられていた。これに限らず、第３の気液分離器１４０を中継器１０２に設けてもよい。なお、以下では、実施の形態６で示した多室型空気調和装置１００００において、第３の気液分離器１４０の設置位置を変更した例について説明する。
【００９６】
図１６は、本発明の実施の形態８に係る多室型空気調和装置の冷媒回路構成の一例を示す冷媒回路図である。
この実施の形態８では、第３の気液分離器１４０を第１の接続配管２１の途中に接続し、第３の気液分離器１４０を中継器１０２内に設置したものである。このように、第３の気液分離器１４０を中継器１０２内に設置することにより、第１の接続配管２１内を気液分離されたガス冷媒または液冷媒が流れるため、室外機１０１と中継器１０２の間の延長配管分の圧力損失を大きく低減することが可能となる。その他の機能及び構成は実施の形態６及び実施の形態７と同様である。
【００９７】
実施の形態９．
（非共沸混合冷媒）
前述の室外機１００，１０１を流れる冷媒において、単一冷媒（例えば、Ｒ２２等）または共沸混合冷媒（例えば、Ｒ５０２，Ｒ５０７Ａ等）ではない非共沸混合冷媒（例えば、Ｒ４０４Ａ、Ｒ４０７Ｃ等）を用いた場合、第３の気液分離器１４０により、気液分離されたガス冷媒で非共沸混合冷媒中の沸点の低い冷媒がガス冷媒としてバイパスされ、気液分離された液冷媒のほうでは、第３の気液分離器１４０の入口と組成比が沸点の高い冷媒に偏った非共沸混合冷媒として流出されることで、室外熱交換器８内の圧力損失低減効果に加えて、非共沸混合冷媒の性能低下の原因である二相状態での温度勾配（温度グライド）を緩和させる効果がある。その他の機能及び構成は実施の形態１〜実施の形態８と同様である。
【００９８】
実施の形態１０．
実施の形態１〜実施の形態９においては、液ヘッダ部分と室外熱交換器８（より詳しくは、伝熱管１５）との接続構成の詳細について、特に言及しなかった。液ヘッダ部分と室外熱交換器８とを以下のように接続することにより、風速分布の偏りが大きい室外熱交換器８の分割領域に接続された液ヘッダ部分に対して、多くの冷媒を流せるようになる。なお、本実施の形態１０で記載されていない構成は実施の形態１〜実施の形態９のいずれかと同様とし、上記の実施の形態と同様の構成には上記の実施の形態と同じ符号を付している。
【００９９】
図１７は、本発明の実施の形態１０に係る空気調和装置の室外熱交換器を示す図である。なお、図１７には、室外熱交換器８を通る風速分布、及び、室外熱交換器８に供給される冷媒量（冷媒分布）も併せて示している。
本実施の形態１０においては、複数の液ヘッダ部分７ａ，７ｂのそれぞれと、室外熱交換器８の伝熱管１５とが、複数の枝管４５で接続されている。詳しくは、上方に配置された（風速分布が大きい分割領域の伝熱管１５に接続された）液ヘッダ部分７ａは、枝管４５ａによって、室外熱交換器８の伝熱管１５と接続されている。また、下方に配置された（風速分布が小さい分割領域の伝熱管１５に接続された）液ヘッダ部分７ｂは、枝管４５ｂによって、室外熱交換器８の伝熱管１５と接続されている。そして、上方に配置された液ヘッダ部分７ａは、下方に配置された液ヘッダ部分７ｂと比べ、同じ大きさの領域に接続された枝管４５の本数が多い構成となっている。換言すると、同じ大きさの領域に接続された枝管４５ａ，４５ｂの本数を見ると、枝管４５ａの本数の方が枝管４５ｂの本数よりも多くなっている。
【０１００】
なお、本実施の形態１０においては、室外熱交換器８が蒸発器として機能するときに、該室外熱交換器８の冷媒流出側となる位置に接続されたガスヘッダ９が、上下方向に複数のガスヘッダ部分に分割されている。図１７では、ガスヘッダ９は、上下方向に２つのガスヘッダ部分９ａ，９ｂに分割されている。また、ガスヘッダ部分９ａ，９ｂは、冷媒出口配管４６により、四方弁２に接続されている。詳しくは、ガスヘッダ部分９ａは、冷媒出口配管４６ａにより、四方弁２に接続されている。また、ガスヘッダ部分９ｂは、冷媒出口配管４６ｂにより、四方弁２に接続されている。つまり、冷媒出口配管４６（冷媒出口配管４６ａ，４６ｂ）は、室外熱交換器８が蒸発器として機能するときに、ガスヘッダ９（ガスヘッダ部分９ａ，９ｂ）と圧縮機１の吸入側とを接続するものである。
【０１０１】
上述のように、本実施の形態１０では、上方に配置された液ヘッダ部分７ａは、下方に配置された液ヘッダ部分７ｂと比べ、同じ領域に接続された枝管４５の本数が多い構成となっている。このため、風速分布が大きい分割領域の伝熱管１５に流入する冷媒の流動抵抗が小さくなる。したがって、風速分布が大きい分割領域に多くの冷媒を供給できる。すなわち、本実施の形態１０のように、液ヘッダ部分７ａ，７ｂと室外熱交換器８とを接続することにより、より大きな風速分布の偏りに対応できるようになる。
【０１０２】
実施の形態１１．
実施の形態１〜実施の形態１０の構成において、ガスヘッダ９を以下の様に構成することにより、風速分布が大きい分割領域に多くの冷媒を供給できるようになる。なお、本実施の形態１１で記載されていない構成は実施の形態１〜実施の形態１０のいずれかと同様とし、上記の実施の形態と同様の構成には上記の実施の形態と同じ符号を付している。
【０１０３】
図１８は、本発明の実施の形態１１に係る空気調和装置の室外熱交換器を示す図である。なお、図１８には、室外熱交換器８を通る風速分布、及び、室外熱交換器８に供給される冷媒量（冷媒分布）も併せて示している。
本実施の形態１１においては、ガスヘッダ９が、上下方向に複数のガスヘッダ部分に分割されている。図１８では、ガスヘッダ９は、上下方向に２つのガスヘッダ部分９ａ，９ｂに分割されている。そして、上方に配置された（風速分布が大きい分割領域の伝熱管１５に接続された）ガスヘッダ部分９ａの内径は、下方に配置された（風速分布が小さい分割領域の伝熱管１５に接続された）ガスヘッダ部分９ｂの内径よりも大きくなっている。このため、ガスヘッダ部分９ａ内の流動抵抗が小さくなるため、風速分布が大きい分割領域に多くの冷媒を供給できる。すなわち、本実施の形態１１のようにガスヘッダ９を構成することにより、風速分布が大きい分割領域に多くの冷媒を供給でき、より大きな風速分布の偏りに対応できるようになる。
【０１０４】
実施の形態１２．
実施の形態１〜実施の形態１１の構成において、ガスヘッダ９を以下の様に構成しても、風速分布が大きい分割領域に多くの冷媒を供給できるようになる。なお、本実施の形態１２で記載されていない構成は実施の形態１〜実施の形態１１のいずれかと同様とし、上記の実施の形態と同様の構成には上記の実施の形態と同じ符号を付している。
【０１０５】
図１９は、本発明の実施の形態１２に係る空気調和装置の室外熱交換器を示す図である。なお、図１９には、室外熱交換器８を通る風速分布、及び、室外熱交換器８に供給される冷媒量（冷媒分布）も併せて示している。
本実施の形態１２においては、ガスヘッダ９が、上下方向に複数のガスヘッダ部分に分割されている。図１９では、ガスヘッダ９は、上下方向に２つのガスヘッダ部分９ａ，９ｂに分割されている。そして、上方に配置された（風速分布が大きい分割領域の伝熱管１５に接続された）ガスヘッダ部分９ａは、下方に配置された（風速分布が小さい分割領域の伝熱管１５に接続された）ガスヘッダ部分９ｂに比べ、多くの本数の冷媒出口配管４６が接続されている。図１９では、上方に配置されたガスヘッダ部分９ａには、２本の冷媒出口配管４６ａが接続されており、下方に配置されたガスヘッダ部分９ｂには、１本の冷媒出口配管４６ｂが接続されている。このため、ガスヘッダ部分９ａ内の流動抵抗が小さくなるため、風速分布が大きい分割領域に多くの冷媒を供給できる。すなわち、本実施の形態１２のようにガスヘッダ９を構成することにより、風速分布が大きい分割領域に多くの冷媒を供給でき、より大きな風速分布の偏りに対応できるようになる。
【符号の説明】
【０１０６】
１  圧縮機、２  四方弁、３  室内熱交換器、４  膨張弁、５  第１の気液分離器、６  分流器、６ａ  本体部、６ｂ  接続配管部、７  液ヘッダ、７ａ〜７ｃ  液ヘッダ部分、８  室外熱交換器、８ａ  室外熱交換器、９  ガスヘッダ、９ａ，９ｂ  ガスヘッダ部分、１０  バイパス回路、１０ａ  第１のバイパス配管、１１  流量制御機構、１２  送風機、１３  筐体、１４  オリフィス、１５  伝熱管、１６  フィン、２０  制御装置、２１  第１の接続配管、２１ａ〜２１ｃ  分岐配管、２２  第２の接続配管、２２ａ〜２２ｃ  分岐配管、２３  第２のバイパス配管、２４  第３のバイパス配管、２５  液側出口配管、２６  ガス側出口配管、３１  吐出配管、３２  冷媒配管、３３，３４  短絡配管、３５  流路切替回路、３６  吸入配管、３７  冷媒配管、４０（４０ａ〜４０ｃ）  中間熱交換器、４１（４１ａ〜４１ｃ）  中継器側冷媒回路、４２（４２ａ〜４２ｃ）  室内機側冷媒回路、４３ａ〜４３ｃ  ポンプ、４４  アキュムレーター、４５（４５ａ，４５ｂ）  枝管、４６（４６ａ，４６ｂ）  冷媒出口配管、５０  第２の気液分離器、６０  第１の熱交換器、７０  第２の熱交換器、８５  第３の流量制御装置、９０  第２の流量制御装置、１００  室外機、１０１  室外機、１０２  中継器、１０３（１０３ａ〜１０３ｃ）  室内機、１０４  切替部、１０５  第２の分岐部、１１０ａ〜１１０ｃ  第１の流量制御装置、１２０ａ〜１２０ｃ  電磁弁、１３０ａ〜１３０ｃ  電磁弁、１４０  第３の気液分離器、１５０  ガス側バイパス抵抗、１６０〜１９０  逆止弁、２００  室内ユニット、３００  空気調和装置、１０００ａ〜１０００ｃ  室内熱交換器、１００００  多室型空気調和装置。
【図１】
2015178097.tif 000003
【図２】
2015178097.tif 000004
【図３】
2015178097.tif 000005
【図４】
2015178097.tif 000006
【図５】
2015178097.tif 000007
【図６】
2015178097.tif 000008
【図７】
2015178097.tif 000009
【図８】
2015178097.tif 000010
【図９】
2015178097.tif 000011
【図１０】
2015178097.tif 000012
【図１１】
2015178097.tif 000013
【図１２】
2015178097.tif 000014
【図１３】
2015178097.tif 000015
【図１４】
2015178097.tif 000016
【図１５】
2015178097.tif 000017
【図１６】
2015178097.tif 000018
【図１７】
2015178097.tif 000019
【図１８】
2015178097.tif 000020
【図１９】
2015178097.tif 000021
【国際調査報告】
2015178097.tif 000022
2015178097.tif 000023
2015178097.tif 000024
2015178097.tif 000025